(57)【要約】【課題】組立てが容易なレンズ駆動装置を提供する。【解決手段】本発明のレンズ駆動装置１は、ベース５とヨーク３との間に前側スプリング９の外周側部９ｂを固定してあり、前側スプリング９の内周側部９ａをレンズ支持体７の前端に当接配置し、後側スプリング１１はベース５とレンズ支持体７との間に設けて、ベース５に対してレンズ支持体７を前後に移動自在に支持しており、レンズ支持体７に設けたコイル１５に通電して生じる電磁力によりレンズ支持体７をレンズの光軸方向に沿って前後に移動するレンズ駆動装置において、レンズ支持体７の前側端には前側スプリング９との係合部１０を設けてある。【選択図】図１
2007316395.tif 000002
【特許請求の範囲】
【請求項１】
環状のヨークと、ヨークの内部に配置されたマグネットと、ヨークの内周側に配置され且つ外周にコイルが固定されたレンズ支持体と、環状の前側スプリングと、後側スプリングと、ヨークの後側に配置されるベースと、ヨークの前側に配置されるフレームとを備え、ベースとヨークとの間に前側スプリングの外周側部を固定してあり、前側スプリングの内周側部をレンズ支持体の前端に当接配置し、後側スプリングはベースとレンズ支持体との間に設けて、ベースに対してレンズ支持体を前後に移動自在に支持しており、コイルに通電して生じる電磁力によりレンズ支持体をレンズの光軸方向に沿って前後に移動するレンズ駆動装置であって、
レンズ支持体の前側端には前側スプリングとの係合部を設けてあることを特徴とするレンズ駆動装置。
【請求項２】
前記係合部はレンズ支持体の前側端に周方向に間隔をあけて配置した複数の突出部であり、前側スプリングの内周縁には外周側に向けて凹んだ凹み部が設けてあり、係合部が凹み部に係合することを特徴とする請求項１に記載のレンズ駆動装置。
【請求項３】
前側スプリングは、内周側部が外周側部よりも光軸方向前側に突設して配置し、スプリングの弾性力によりレンズ支持体を常時後側に向けて付勢力していることを特徴とする請求項１に記載のレンズ駆動装置。
【発明の詳細な説明】
【技術分野】
【０００１】
本発明は、小型カメラに用いられるオートフォーカス用レンズ駆動装置に関する。
【背景技術】
【０００２】
特許文献１には、小型カメラのレンズ支持体の前側と後側とに各々環状スプリングを配置し、前側スプリングの内周側部をレンズ支持体の前側端に当接配置し、外周側部をヨークとフレームとの間に挟んで固定することが開示されている。
【０００３】
【特許文献１】特開２００５−１２８４０５号公報
【発明の開示】
【発明が解決しようとする課題】
【０００４】
しかし、従来のレンズ駆動装置の製造工程では、後側スプリング、コイルを固定したレンズ支持体、マグネットを装着したヨーク、前側スプリング及びフレーム（筐体）をこの順序でベース（後側筐体）に組付けていくが、前側スプリングとフレームとはピンセットで挟んでこれらをレンズ支持体の前側に同時に配置し、フレームをベースに嵌合固定して組立てていた。組立て後、レンズ支持体の前側端と前側スプリングの内周側部とを接着剤で固定していた。
【０００５】
前側スプリングとフレームとをピンセットで挟んで一緒に組付けているのは、前側スプリングをレンズ支持体の前側端に乗せた後にフレームを組付けたのでは、前側スプリングがレンズ支持体の前側端に乗せただけの状態が生じると前側スプリングが不安定になり、レンズ支持体の前側端（先端）に対して位置がずれたり、フレームで前側スプリングの外周側部をヨークに押え付けるときにスプリングの付勢力により前側スプリングが跳ね落ちてしまうおそれがある為、前側スプリングの組付け時には、ピンセットでフレームと前側スプリングを所定位置で重ねて挟み同時に組付けている。
【０００６】
したがって、レンズ駆動装置の製造工程では、前側スプリングとフレームとを同時に保持し且つ前側スプリングとフレームとの重なり位置を所定位置にして組付ける必要があり、製造に手間がかかるという問題があった。特に、小型カメラのレンズ駆動装置では外径が１ｍｍ程度である為、２つの部品を所定の位置関係に保持して挟み難く、部品の組立て作業がし難くかった。
【０００７】
そこで、本発明は、組立てが容易なレンズ駆動装置の提供を目的とする。
【課題を解決するための手段】
【０００８】
請求項１に記載の発明は、環状のヨークと、ヨークの内部に配置されたマグネットと、ヨークの内周側に配置され且つ外周にコイルが固定されたレンズ支持体と、環状の前側スプリングと、後側スプリングと、ヨークの後側に配置されるベースと、ヨークの前側に配置されるフレームとを備え、ベースとヨークとの間に前側スプリングの外周側部を固定してあり、前側スプリングの内周側部をレンズ支持体の前端に当接配置し、後側スプリングはベースとレンズ支持体との間に設けて、ベースに対してレンズ支持体を前後に移動自在に支持しており、コイルに通電して生じる電磁力によりレンズ支持体をレンズの光軸方向に沿って前後に移動するレンズ駆動装置であって、レンズ支持体の前側端には前側スプリングとの係合部を設けてあることを特徴とする。
【０００９】
請求項２に記載の発明は、請求項１に記載の発明において、前記係合部はレンズ支持体の前側端に周方向に間隔をあけて配置した複数の突出部であり、前側スプリングの内周縁には外周側に向けて凹んだ凹み部が設けてあり、係合部が凹み部に係合することを特徴とする。
【００１０】
請求項３に記載の発明は、請求項１に記載の発明において、前側スプリングは、内周側部が外周側部よりも光軸方向前側に突設して配置し、スプリングの弾性力によりレンズ支持体を常時後側に向けて付勢力していることを特徴とする。
【発明の効果】
【００１１】
請求項１に記載の発明によれば、レンズ駆動装置の組立ては、ベースの上に、後側スプリング（後側スプリングは予めレンズ支持体に固定しておいて良い）、コイルを固定したレンズ支持体、マグネットを固定したヨーク、前側スプリング、フレームをこの順序で積み上げて組付けする。前側スプリングは、内周側部をレンズ支持体の前側端に載せ、前側スプリングの内周側部をレンズ支持体の係合部に係合する。これにより、前側スプリングをレンズ支持体に載置した状態で、前側スプリングはレンズ支持体に係合するので、レンズ支持体に対する前側スプリングの位置ずれや脱落を防止でき、安定に載置することができる。
【００１２】
フレームと前側スプリングとを別個に順次組付けているので、各々の位置決めを個別にでき、組付けが容易である。特に、従来のように２つの部品を位置合わせして同時にピンセットで挟み込み必要がなく、作業性が良い。
【００１３】
尚、各部品の組付け後に、レンズ支持体の係合部と前側スプリングを接着剤で接着固定してもよい。
【００１４】
請求項２に記載の発明によれば、請求項１に記載の作用効果を得ることができると共に、係合部は突出部としているので、例えば金型成形によりレンズ支持体に係合部を容易に一体成形できると共に、前側スプリングにも凹み部を形成するだけであるから、前側スプリングの打ち抜き等の製造時に容易に成形できる。
【００１５】
また、係合部を周方向に間隔をかけ配置することにより、スプリングの位置決めがし易い。
【００１６】
請求項３に記載の発明によれば、請求項１に記載の作用効果を得ることができると共に、前側スプリングの内周側部をレンズ支持体の先端に載せた状態で、外周側部をヨーク側に押し付けて組付ける必要がある為、組付け時に前側スプリングが不安定になりやすいが、かかる場合にもレンズ支持体の前側端に前側スプリングを係合して安定に保持できるので、付勢力に抗して外周側部をフレームで抑えることが容易にできる。
【発明を実施するための最良の形態】
【００１７】
以下に、添付図面を参照して本発明の実施の形態を説明する。図１は本発明の実施の形態にかかるレンズ駆動装置の分解斜視図であり、図２はレンズ支持体と前側スプリングとの組付け状態を抜き出して示す斜視図であり、図３はフレームを取り付ける前の組付け状態を示すレンズ駆動装置の斜視図であり、図４はレンズ駆動装置の縦断面図である。
【００１８】
本実施の形態にかかるレンズ駆動装置１は、携帯電話に組み込まれるオートフォーカスカメラのレンズ駆動装置である。このレンズ駆動装置１は、環状のヨーク３と、レンズ支持体７と、環状の前側スプリング９と、後側スプリング１１と、ヨーク３の後側に配置されるベース５と、ヨークの前側に配置されるフレーム６とを備えており、ヨーク３と後側スプリング１１との間には絶縁体（スペーサ）１７が配置されている。
【００１９】
ヨーク３は外周が平面視四角形であり、内周が平面視円形になっており、断面が略コ字形状で、コ字の内部にマグネット１３が固定されている。
【００２０】
ベース５はヨーク３の外周面に位置する外壁５ａと、ヨーク３の後側（レンズの光軸方向の後側）に位置する基底部５ｂとを有しており、ベース５の基底部５ｂには後方スプリング１１の外周側部１１ｂが載置される。
【００２１】
レンズ支持体７は略円筒形状であり、その内周部にレンズ（図示せず）が装着されて、ヨーク３の内周側を光軸方向に移動自在に設けられている。レンズ支持体７の外周側部には、コイル１５が固定されていると共にコイル１５はヨーク３の内部に入り込んでおり、ヨーク３のコ字隙間を移動するようになっている。
【００２２】
レンズ支持体７の前側端（先端）７ａには、前側スプリング９との係合部１０が設けてある。係合部１０は、本実施の形態では、前側に向けて突設した突起であり、レンズ支持体７の周囲方向に等間隔に４つ設けてある。
【００２３】
前側スプリング９は環状の板ばねであり、内周側部９ａと外周側部９ｂとが設けてあり、内周側部９ａはレンズ支持体７に取り付けてあり、外周側部９ｂはヨーク３とフレーム６との間に挟持して固定されている。前側スプリング９の内周側部９ａにおいて内周縁には等間隔に位置する４箇所に、外側に凹んだ凹み部９ｃが形成されており、この凹み部９ｃにレンズ支持体７の係合部１０が嵌合するようになっている。尚、凹み部９ｃの寸法は、レンズ支持体７の係合部１０が挿入されたときに多少のがたつきが生じる程度に係合部１０よりも多少大きな寸法にしてある。
【００２４】
後側スプリング１１は全体として環状の板ばねであるが、本実施の形態では、左右に分割した一方側部１２と他方側部１４とから構成されている。外周側部１１ｂは、絶縁体（スペーサ）１７を介してベース５とヨーク３との間に挟持されており、絶縁体１７は後側スプリング１１とヨーク３との間の電気的絶縁を図っている。内周側部１１ａは、レンズ支持体７の後端に当接している。
【００２５】
本実施の形態では、後側スプリング１１を構成する一方側部１２には端子１９が形成されており、他方側部１４には端子２０が形成されて各端子１９、２０が電源供給端子に接続されるようになっている。尚、一方側部１２と他方側部１４とは、各々コイル１５にハンダ付け等により電気的に接続されており、後側スプリング１１からコイル１５に通電するようになっている。
【００２６】
前側スプリング９と後側スプリング１１とには、各々内周側部９ａ、１１ａと外周側部９ｂ、１１ｂとの間に、腕部２５が設けてあり、各腕部２５が内周側部９ａ、１１ａと外周側部９ｂ、１１ｂとを弾性力を持って繋いでいる。
【００２７】
これらの前側スプリング９と後側スプリング１１とは、組立て前の自然状態（フレーム６を組付ける前の状態）において平坦であるが（図２参照）、少なくとも前側スプリング９は、組付け後には図４に示すように、内周側部９ａが外周側部９ｂよりも前方に位置するように弾性変形した状態で取り付けてある。これにより、ばねの復帰力（付勢力）により内周側部９ａがレンズ支持体７をベース５側に向けた付勢力で常時付勢するようにしている。
【００２８】
フレーム６はレンズ支持体７の前側に配置されており、ヨーク３との間に前側スプリング６の外周側部９ｂを挟んで保持すると共に、ベース５に嵌合固定してベース５とフレーム６とで筐体を形成している。
【００２９】
次に、本発明にかかるレンズ駆動装置１の組立て、作用及び効果について説明する。
組立ては、レンズ支持体７の外周にコイル１５を固定し、レンズ支持体７の後側端部に後側スプリング１１の各一方側部１２と他方側部１４の内周側部１１ａ、１１ａを取り付けて且つコイル１５に後側スプリングの一方側部１２と他方側部１４とをハンダ付けしておく。ヨーク３の内部には平面視四角形の各角部にマグネット１３を固定しておく（予備工程）。
【００３０】
コイル１５及び後側スプリング１１と共にレンズ支持体７をベース５に配置し、後側スプリング１１の外周側部１１ｂをベース５の基底部５ｂ上に載置する（第１工程）。
【００３１】
次に、後側スプリング１１の外周側部１１ｂ上に絶縁体（スペーサ）１７を載置し（第２工程）、絶縁体１７の上にマグネット１３を固定したヨーク３を載置すると共にヨークの断面コ字状の内部にコイル１５を配置する（第３工程）。
【００３２】
続いて、レンズ支持体７の前側端７ａに前側スプリング９を配置する。前側スプリング９は内周側部９ａの内周縁に形成した凹み部９ｃにレンズ支持体７の先端に設けている係合部１０を挿入して、各係合部１０に凹み部９ｃを係合する（第４工程）。尚、レンズ支持体７の前側端７ａはヨークよりも前方に突出位置しているので、前側スプリング９の内周側部９ａを係合部１０に係合した状態では、前側スプリング９の外周側部９ｂはヨーク３から浮いた状態（隙間を空けた状態）になっている。
【００３３】
次に、レンズ支持体７と、前側スプリング９を、お互いの中心を合わせるように微調整して、レンズ支持体の係合部１０と前側スプリング９の凹み部９ｃとを接着剤で固定する。平面状で、接着できるので、作業が容易になる。
【００３４】
その後、フレーム６を前側スプリング９の上から被せるように配置し、ベース５の外壁５ａに嵌合固定する。フレーム６をベース５に嵌合する際には、前側スプリング９の外周側部９ｂを前側スプリング９の付勢力に抗してヨーク３の前面に押し付けて、外周側部９ｂをヨーク３とフレームとの間に挟持する（第５工程）。
【００３５】
最後に、ベース５とフレーム６とを接着剤で固定する。
【００３６】
本実施の形態によれば、レンズ駆動装置１の製造は、上述の第１工程乃至第５工程の順序で行うものであり、ベース５、後側スプリング１１及びコイル１５を固定したレンズ支持体７、マグネット１３を固定したヨーク３、前側スプリング９、フレーム６をこの順序で一つ一つ積み重ねて行うので、組付けが簡単にできる。
【００３７】
前側スプリング９をレンズ支持体７の前側端７ａに載せたときに、前側スプリング９は、内周側部９ａをレンズ支持体７の前側端７ａの係合部１０に係合してレンズ支持体７に取り付け、接着剤で固定するので、フレーム６を組付ける前に前側スプリング９の位置ずれや落下を防止でき、安定に載置することができる。
【００３８】
レンズ支持体７に設けた係合部１０は突出部としているので、レンズ支持体７を金型成型するときに容易に一体成形できると共に、前側スプリング９にも凹み部９ｃを形成するだけであるから、前側スプリング９の打ち抜き等の製造時に同時に成形でき、製造が容易である。
【００３９】
係合部１０は周方向に間隔をあけて配置しているので、係合部１０を前側スプリング９に係合して保持するだけでなく、前側スプリング９の位置決めもできる。
【００４０】
前側スプリング９の内周側部９ａはレンズ支持体７を常時付勢するように外周側部９ｂに対して変位した状態で組付ける場合に、前側スプリング９が不安定になりやすいが、内周側部９ａが係合により保持されているので、前側スプリング９の付勢力に抗して外周側部９ｂをフレーム６で抑えたときにも位置ずれが生じ難い。
【００４１】
本発明は、上述した実施の形態に限らず、本発明の要旨を逸脱しない範囲で種々変形可能である。
【００４２】
例えば、後側スプリング１１は一方側部１２と他方側部１４とに２分割して設けることに限らず、一体構造とし、前側スプリング９と後側スプリング１１とをコイル１５に各々ハンダ付けして電気的に接続して通電するようにしても良い。
【００４３】
係合部１０の形状や寸法は特に制限されず、例えば、先端（前端）ほど先細りにして組付け時に係合し易くしたり、前側を湾曲した形状にしても良い。また、係合部１０の数はいくつでもよく、例えば３個であっても良い。
【００４４】
絶縁体（スペーサ）１７はヨーク３や後側スプリング１１と別体にすることに限らず、ヨーク３のベース側面や後側スプリング１１のヨーク側面に絶縁層を形成したり、絶縁テープを貼りものであってもよい。
【図面の簡単な説明】
【００４５】
【図１】本発明の実施の形態にかかるレンズ駆動装置の分解斜視図である。
【図２】レンズ支持体と前側スプリングとの組付け状態を抜き出して示す斜視図である。
【図３】フレームを取り付ける前の状態を示すレンズ駆動装置の斜視図である。
【図４】レンズ駆動装置の縦断面図である。
【符号の説明】
【００４６】
１      レンズ駆動装置
３      ヨーク
５      ベース
６      フレーム
７      レンズ支持体
９      前側スプリング
９ａ    内周側部
９ｂ    外周側部
９ｃ    凹み部
１０    係合部
１１    後側スプリング
１１ａ  内周側部
１１ｂ  外周側部
１３    マグネット
１５    コイル
２５    腕部
【図１】
2007316395.tif 000003
【図２】
2007316395.tif 000004
【図３】
2007316395.tif 000005
【図４】
2007316395.tif 000006